(57)【特許請求の範囲】
【請求項１】
商品データを入力可能で入力確定時に音が発せられる入力部を有し、この入力部を介して入力された商品データに基づいて商品販売データ処理を実行する商品販売データ処理装置において、
前記入力部の入力確定時に発せられる音のデータを記憶する音データ記憶手段と、
近接する他の商品販売データ処理装置の識別データを記憶する近接装置識別データ記憶手段と、
この近接装置識別データ記憶手段により記憶された識別データで識別される他の商品販売データ処理装置の前記音データ記憶手段で記憶されている音データを問い合わせる近接装置音データ問合せ手段と、
予め設定された複数種類の音データのうち前記近接装置識別データ記憶手段により記憶された識別データで識別される前記他の商品販売データ処理装置の音データ記憶手段で記憶されている音データ以外の音データを選択可能に表示する音データ選択表示手段と、
この音データ選択表示手段により表示された音データの中から何れか１つが選択されるとその選択された音データを前記音データ記憶手段により記憶されるデータとする音データ設定手段と、
前記入力部を介して商品データの入力が確定すると前記音データ記憶手段により記憶された音データの音を鳴音させる音響手段と、
を具備したことを特徴とする商品販売データ処理装置。
【請求項２】
商品データを入力可能で入力確定時に音を発する入力部を有し、この入力部を介して入力された商品データに基づいて商品販売データ処理を実行する商品販売データ処理装置において、
前記入力部の入力確定時に発せられる音のデータを記憶する音データ記憶手段と、
近接する他の商品販売データ処理装置の識別データを記憶する近接装置識別データ記憶手段と、
この近接装置識別データ記憶手段により記憶された識別データで識別される他の商品販売データ処理装置の前記音データ記憶手段で記憶されている音データを問い合わせる近接装置音種別データ問合せ手段と、
予め設定された複数種類の音データのうち前記近接装置識別データ記憶手段により記憶された識別データで識別される前記他の商品販売データ処理装置の音データ記憶手段で記憶されている音データ以外の音データの中の何れか１つを選択する音データ選択手段と、
この音データ選択手段により選択された音データを前記音データ記憶手段により記憶されるデータとする音データ設定手段と、
前記入力部を介して商品データの入力が確定すると前記音データ記憶手段により記憶された音データの音を鳴音させる音響手段と、
を具備したことを特徴とする商品販売データ処理装置。
【請求項３】
前記近接装置識別データ記憶手段に対するデータの追加モードを指令する追加モード指令手段と、
前記近接装置識別データ記憶手段に対するデータの削除モードを指令する削除モード指令手段と、
前記商品販売データ処理装置の識別データを入力する識別データ入力手段と、
前記追加モード時に前記識別データ入力手段により識別データが入力されると当該識別データが前記近接装置識別データ記憶手段により記憶されているか否かを判定する追加時識別データ判定手段と、
この追加時識別データ判定手段により当該識別データが前記近接装置識別データ記憶手段により記憶されていないと判定されたことを条件に前記当該識別データを前記近接装置識別データ記憶手段による記憶データに追加する識別データ追加手段と、
前記削除モード時に前記識別データ入力手段により識別データが入力されると当該識別データが前記近接装置識別データ記憶手段により記憶されているか否かを判定する削除時識別データ判定手段と、
この削除時識別データ判定手段により当該識別データが前記近接装置識別データ記憶手段により記憶されていると判定されたことを条件に前記当該識別データを前記近接装置識別データ記憶手段による記憶データの中から削除する識別データ削除手段と、
をさらに具備したことを特徴とする請求項１または２記載の商品販売データ処理装置。
【発明の詳細な説明】
【技術分野】
【０００１】
本発明は、例えばバーコードを読取り可能なスキャナを商品データの入力部として備えたＰＯＳ（Point Of Sales）端末等の商品販売データ処理装置に関する。
【背景技術】
【０００２】
コンビニエンスストアやスーパーマーケット等で販売される多くの食品，日用雑貨，書籍等の商品には、商品を特定するための商品コードがバーコードの体系で付されている。このため、この種の店舗では、通常、バーコードを読取るためのバーコードリーダとして光学式のスキャナを備えたＰＯＳ端末が商品販売データ処理装置として使用されている。
【０００３】
一般に、スキャナを備えたＰＯＳ端末には、スキャナを介して商品コードの入力があった場合、そのことを例えば「ピッ」という音でオペレータや顧客に報知するための音響手段が備えられている。そこでオペレータは、客が買上げる商品を手にすると、その商品に付されているバーコードをスキャナの読取り面にかざす。そして、例えば「ピッ」という音を聞いたならば、当該商品の商品コードがＰＯＳ端末に入力されたものと認識して、次の作業に移ればよかった。
【０００４】
ところで、従来のこの種の商品販売データ処理装置において、商品データを入力する入力部として第１の入力部と第２の入力部を備えることで二人制に対応した装置がある。この装置においては、第１の入力部を介して入力されたデータが確定したときの音と第２の入力部を介して入力されたデータが確定したときの音が同じであると紛らわしい。そこで、第１の入力部を介して入力されたデータが確定したときの音と第２の入力部を介して入力されたデータが確定したときの音とを異ならせることによって、確定したデータの入力元をオペレータが容易に認識できるようにした技術は既に知られている（例えば、特許文献１参照）。
【特許文献１】特開２００５−０４４０１４号公報
【発明の開示】
【発明が解決しようとする課題】
【０００５】
その一方で、上述した二人制対応の装置に限らず、ある１つの商品販売データ処理装置に対して他の１つまたは複数の商品販売データ処理装置が近接している場合には、入力部を介して入力された商品データが確定したときに発せられる音が他の商品販売データ処理装置と同じであると紛らわしいという問題があった。このような問題は、各商品販売データ処理装置から発せられる音を異ならせればよい。しかしそのためには、従来は人手による煩雑な設定作業が必要である上、設定ミスによって近接する他の装置と同じ音が発せられる場合もあり、解決が望まれていた。
【０００６】
本発明はこのような事情に基づいてなされたもので、その目的とするところは、入力部から入力されたデータの入力確定時に発せられる音が、近接する他の装置から発せられる音と確実にしかも煩雑な設定作業を要することなく異ならせることができ、オペレータの作業効率向上を図り得る商品販売データ処理装置を提供しようとするものである。
【課題を解決するための手段】
【０００７】
本発明は、商品データを入力可能で入力確定時に音を発する入力部、例えばスキャナを有し、この入力部を介して入力された商品データに基づいて商品販売データ処理を実行する例えばＰＯＳ端末等の商品販売データ処理装置において、入力部の入力確定時に発せられる音のデータを記憶する音データ記憶手段と、近接する他の商品販売データ処理装置の識別データを記憶する近接装置識別データ記憶手段と、この近接装置識別データ記憶手段により記憶された識別データで識別される他の商品販売データ処理装置の音データ記憶手段で記憶されている音データを問い合わせる近接装置音データ問合せ手段と、予め設定された複数種類の音データのうち近接装置識別データ記憶手段により記憶された識別データで識別される他の商品販売データ処理装置の音データ記憶手段で記憶されている音データ以外の音データを選択可能に表示する音データ選択表示手段と、この音データ選択表示手段により表示された音データの中から何れか１つが選択されるとその選択された音データを音データ記憶手段により記憶されるデータとする音データ設定手段と、入力部を介して商品データの入力が確定すると音データ記憶手段により記憶された音データの音を鳴音させる音響手段とを備えたものである。
【発明の効果】
【０００８】
かかる手段を講じた本発明によれば、入力部から入力されたデータの入力確定時に発せられる音が、近接する他の装置から発せられる音と確実にしかも煩雑な設定作業を要することなく異ならせることができ、オペレータの作業効率向上を図り得る商品販売データ処理装置を提供できる。
【発明を実施するための最良の形態】
【０００９】
以下、本発明を実施するための最良の形態について、図面を用いて説明する。  
なお、この実施の形態は、商品データを入力可能な入力部としてバーコードを読取り可能なスキャナを有してなるＰＯＳ端末に本発明を適用した場合であり、スキャナを介して商品コードが入力されたときに発せられる音を、近接するＰＯＳ端末間で異ならせることによりオペレータが識別できるようにした場合である。
【００１０】
図１は本発明に係るＰＯＳ端末１を備えたＰＯＳシステムの概略構成図である。複数台のＰＯＳ端末１と、各ＰＯＳ端末１を制御するストアサーバ２とが、ＬＡＮ（Local Area Network）等の通信回線３で相互通信自在に接続されることにより、ＰＯＳシステムが構築されている。なお、通信回線３は有線に限るものではなく、各ＰＯＳ端末１に無線機を搭載させるとともに、各ＰＯＳ端末１の無線機を子局とする無線基地局をストアサーバ２に接続することによって、無線によるＰＯＳシステムを構築してもよい。
【００１１】
ストアサーバ２には、本実施の形態のスキャナ入力確定音設定機能を実現するために、ＰＯＳレイアウトテーブル４と、音情報管理テーブル５と、ＰＯＳ別音設定テーブル６とが設けられている。これらのテーブル４〜６は、例えばストアサーバ２に内蔵されているＨＤＤ（Hard Disk Drive）装置で保存されている。
【００１２】
ＰＯＳレイアウトテーブル４は、図２に示すように、各ＰＯＳ端末１を識別する識別データであるＰＯＳ番号別に設置位置座標データを書換え可能に記憶するものである。ストアサーバ２には、予め本ＰＯＳシステムが構築されている店舗に設置されている商品陳列棚やレジのレイアウトを示す二次元画像データが記憶されている。設置位置座標データは、上記二次元画像上の［Ｘ．Ｙ］座標に相当する。すなわちＰＯＳ端末１毎に、上記二次元画像上において実際にそのＰＯＳ端末１が置かれている領域の例えば中心位置に該当する［Ｘ，Ｙ］座標をＰＯＳレイアウトテーブル４で記憶している。そして、ＰＯＳ端末１の設置場所の移動や交換等があった場合には、ストアサーバ２が有するテーブル更新機能により、各ＰＯＳ端末１の設置位置座標データが常に最新の情報に書き換えられる。
【００１３】
音情報管理テーブル５は、図３に示すように、音データの種類を特定する音番号に対応して、音名称データと音データ保存先アドレスとを記憶するものである。ストアサーバ２のＨＤＤ装置には、予めスキャナからの入力が確定したとき発せられるスキャナ入力確定音として複数種類の音データが保存されており、各々に個別の音番号と音名称が設定されている。音データ保存先アドレスは、対応する音番号及び音名称によって特定される音データのＨＤＤ装置上の保存先アドレスである。
【００１４】
ＰＯＳ別音設定テーブル６は、図４に示すように、各ＰＯＳ端末１を識別するＰＯＳ番号別に、そのＰＯＳ端末１においてスキャナ入力確定音として設定された音データの音番号を記憶するものである。なお、音データが未設定のＰＯＳ端末１に対しては、デフォルト値として“０”が設定されている。
【００１５】
因みに本実施の形態では、ＰＯＳ端末１の識別データであるＰＯＳ番号を３桁の連続番号としている。また、音データの種別データである音番号を２桁の連続番号としている。すなわち、ＰＯＳ端末１としては９９９台まで設定可能とし、音データとしては９９種類まで設定可能としている。なお、これはあくまでも一例であり、システムの規模，用途などにより適宜設定可能であるのはいうまでもないことである。
【００１６】
図５はＰＯＳ端末１の外観構成を示す斜視図である。ＰＯＳ端末１には、その正面側にキーボード１１，モードスイッチ１２及びオペレータ用表示器１３が設けられており、背面側に客用表示器１４が設けられている。また、レシート及びジャーナルを印字するためのＲＪプリンタ１５が内蔵されており、このＲＪプリンタ１５によって印字されたレシートがレシート発行口１６から発行されるようになっている。また、ハンディ式のスキャナ１７が接続されるとともに、現金等を収容するためのドロワ１８が形成されている。なお、スキャナ１７は、ハンディ式に限るものではなく、例えば定置式であってもよい。
【００１７】
キーボード１１には、図６に示すように、置数キー２１，クリアキー２２，小計キー２３，現計キー２４，＃キー２５，取消キー２６，部門キー２７，ＰＬＵキー２８等の各種キーが配列されている。因みに、キーボード１１に配列されるキーの種類は図６のものに限定されるものではない。また、各キーの位置も図６に限定されないのは言うまでもないことである。
【００１８】
モードスイッチ１２は、図７に示すように、「休止」，「登録」，「点検」，「精算」，「設定」等の各種業務モードを択一的に選択するためのスイッチであり、鍵にて切換操作される。因みに、「登録」とは、スキャナ１７またはキーボード１１を介して入力された商品データに基づいて商品販売データのメモリへの登録処理を実行する業務のモードである。「点検」とは、登録業務によってメモリに登録処理された商品販売データを集計しその集計結果を点検レポートとして印字または表示出力する業務のモードである。「精算」とは、点検業務と同様にメモリに登録処理された商品販売データを集計しその集計結果を精算レポートとして印字出力した後、商品販売データのメモリをクリアする業務である。「設定」とは、登録，点検，精算等の各種業務を実行する上で必要なデータを予めメモリに設定する業務である。なお、各種業務モードの選択方法はモードスイッチ１２に限定されるものではなく、例えばオペレータ用表示器１３に業務メニュー画面を表示させて所望する業務をオペレータがキー操作等で選択できるようにしてもよい。
【００１９】
図８はＰＯＳ端末１の要部構成を示すブロック図である。すなわちＰＯＳ端末１には、制御部本体としてＣＰＵ（Central Processing Unit）３１が設けられている。そして、このＣＰＵ３１に、アドレスバス，データバス３２を介して、プログラム等の固定的データが予め格納されたＲＯＭ（Read Only Memory）３３、商品販売データを登録処理するためメモリエリア等が形成されたＲＡＭ３４、現在の日付及び時刻を計時する時計部３５、前記通信回線３を介して接続されたストアサーバ２等とのデータ通信を司る通信インターフェイス３６の他、音響コントローラ３７，Ｉ／Ｏポート３８，キーボードコントローラ３９，第１の表示コントローラ４０，第２の表示コントローラ４１，プリンタコントローラ４２及びスキャナインターフェイス４３等が接続されている。
【００２０】
音響コントローラ３７は、ＣＰＵ３１からの指令に応じてスピーカ４４からスキャナ入力確定音を発生させるためのコントローラであり、この音響コントローラ３７とスピーカ４４とによって音響手段が構成されている。
【００２１】
Ｉ／Ｏポート３８は、前記モードスイッチ１２からキー位置信号を入力するものである。また、前記ドロワ１８に対して開放駆動信号を出力するものとなっている。因みに、ドロワ１８は、上記開放駆動信号が入力されたことに応じて手前側に開放される。
【００２２】
キーボードコントローラ３９は、前記キーボード１１を制御し、操作キーに対応したキー信号を取込むものである。第１の表示コントローラ４０は、前記オペレータ用表示器１３制御し、表示データに対応した画像を表示させるものである。第２の表示コントローラ４１は、前記客用表示器１４を制御し、表示データに対応した画像を表示させるものである。プリンタコントローラ４２は、前記ＲＪプリンタ１５を制御し、レシート印字及びジャーナル印字を行なわせるものである。スキャナインターフェイス４３は、前記スキャナ１７が接続され、このスキャナ１７で読取られたバーコードデータを入力するものである。
【００２３】
かかる構成のＰＯＳ端末１においては、特に図９に示すように、近接する他のＰＯＳ端末１の識別データであるＰＯＳ番号を記憶する近接装置識別データ記憶手段として、近接ＰＯＳ番号メモリ５１がＲＡＭ３４に形成されている。また、スキャナ１７の入力確定時に発せられる音のデータを記憶する音データ記憶手段として、スキャナ音メモリ５２がＲＡＭ３４に形成されている。
【００２４】
しかして、モードスイッチ１２により「設定」モードが選択されている状態において、近接ＰＯＳ番号メモリ５１に対する設定業務を指令するキー操作が行なわれると、ＰＯＳ端末１のＣＰＵ３１は、図１０の流れ図に示す手順で近接ＰＯＳ設定処理を実行するようにプログラム構成されている。
【００２５】
先ずＣＰＵ３１は、ＳＴ１として店内のレイアウトを示す二次元画像上に各ＰＯＳ端末１の設置場所が表示されたＰＯＳレイアウト画面７（図１４を参照）をオペレータ用表示器１３に表示させる。このＰＯＳレイアウト画面は、ストアサーバ２において、二次元画像データとＰＯＳレイアウトテーブル４に記憶されているＰＯＳ番号別の設置位置座標データとに基づいて編集される。そして、近接ＰＯＳ設定処理が開始されたＰＯＳ端末１にその画面データが通信回線３を通じてダウンロードされ、当該ＰＯＳ端末１のオペレータ用表示器１３に表示されるものとなっている。
【００２６】
因みに、図１４に示すＰＯＳレイアウト画面７は、店のレジ７０に５台のＰＯＳ端末（ＰＯＳ番号００１，００２，００３，００４，００５）７１，７２，７３，７４，７５が並設されている店舗の例である。
【００２７】
ＰＯＳレイアウト画面７をオペレータ用表示器１３に表示させたならば、次にＣＰＵ３１は、ＳＴ２として近接ＰＯＳ番号メモリ５１に記憶されているＰＯＳ番号に対応するＰＯＳ端末を、ＰＯＳレイアウト画面７上において他のＰＯＳ端末と区別することにより報知する。なお、このとき、自己に対して予め設定されているＰＯＳ番号のＰＯＳ端末も、ＰＯＳレイアウト画面７上において他のＰＯＳ端末と区別して表示する。
【００２８】
因みに、図１４に示すＰＯＳレイアウト画面７の例は、斜線による塗り潰しで区別されたＰＯＳ番号００３のＰＯＳ端末７３において近接ＰＯＳ設定処理が開始された場合であり、このＰＯＳ端末７３の近接ＰＯＳ番号メモリ５１には、点による塗り潰しで報知されたＰＯＳ端末７１，７２のＰＯＳ番号００１，００２が記憶されている。なお、自己ＰＯＳ端末と他のＰＯＳ端末とを区別する方法及び近接ＰＯＳ番号メモリ５１に記憶されているＰＯＳ番号のＰＯＳ端末を報知する方法は、上記方法に限定されるものではなく、適宜変形実施可能であるのは勿論である。例えば、オペレータ用表示器１３がカラーディスプレイであれば、色の違いによって区別し、また報知してもよい。
【００２９】
ＰＯＳレイアウト画面７をオペレータ用表示器１３に表示させた状態で、次にＣＰＵ３１は、ＳＴ３としてキーボード１１のキー入力を待機する。そして、置数キー２１が操作入力された場合には（ＳＴ４のＹＥＳ）、ＣＰＵ３１は、ＳＴ５としてその置数データを置数レジスタに順次格納する（識別データ入力手段）。そして、ＳＴ３の処理に戻り、次のキー入力を待機する。
【００３０】
小計キー２３が操作入力された場合には（ＳＴ６のＹＥＳ）、近接ＰＯＳ端末番号の追加が指令されたので（追加モード指令手段）、ＣＰＵ３１は、ＳＴ７として図１１に具体的に示す近接ＰＯＳ追加処理を実行する。すなわち、ＣＰＵ３１は、ＳＴ２１として置数レジスタにＰＯＳ番号に相当する置数データが格納されているか否かを判断する。そして、格納されていない場合には、この近接ＰＯＳ追加処理を終了する。
【００３１】
ＳＴ２１にてＰＯＳ番号に相当する置数データが置数レジスタに格納されていた場合には、ＣＰＵ３１は、ＳＴ２２として近接ＰＯＳ番号メモリ５１を検索する。そして、ＳＴ２３として置数データと一致するＰＯＳ番号が近接ＰＯＳ番号メモリ５１に記憶されているか否かを判断する（追加時識別データ判定手段）。その結果、置数データと一致するＰＯＳ番号が記憶されている場合には、この近接ＰＯＳ追加処理を終了する。
【００３２】
ＳＴ２３にて置数データと一致するＰＯＳ番号が近接ＰＯＳ番号メモリ５１に記憶されていない場合には、ＣＰＵ３１は、ＳＴ２４としてその置数データをＰＯＳ番号として近接ＰＯＳ番号メモリ５１に追加格納する（識別データ追加手段）。そして、この近接ＰＯＳ追加処理を終了する。
【００３３】
図１０に説明を戻す。ＣＰＵ３１は、上記近接ＰＯＳ追加処理を終了すると、ＳＴ８として置数データをクリアする。しかる後、ＳＴ２の処理に戻り、近接ＰＯＳ番号メモリ５１の最新の内容でＰＯＳレイアウト画面７を更新したならば、次のキー入力を待機する。
【００３４】
取消キー２６が操作入力された場合には（ＳＴ９のＹＥＳ）、近接ＰＯＳ端末番号の取消が指令されたので（削除モード指令手段）、ＣＰＵ３１は、ＳＴ１０として図１２に具体的に示す近接ＰＯＳ取消処理を実行する。すなわち、ＣＰＵ３１は、ＳＴ３１として置数レジスタにＰＯＳ番号に相当する置数データが格納されているか否かを判断する。そして、格納されていない場合には、この近接ＰＯＳ取消処理を終了する。
【００３５】
ＳＴ３１にてＰＯＳ番号に相当する置数データが置数レジスタに格納されていた場合には、ＣＰＵ３１は、ＳＴ３２として近接ＰＯＳ番号メモリ５１を検索する。そして、ＳＴ３３として置数データと一致するＰＯＳ番号が近接ＰＯＳ番号メモリ５１に記憶されているか否かを判断する（削除時識別データ判定手段）。その結果、置数データと一致するＰＯＳ番号が記憶されていない場合には、この近接ＰＯＳ取消処理を終了する。
【００３６】
ＳＴ３３にて置数データと一致するＰＯＳ番号が近接ＰＯＳ番号メモリ５１に記憶されている場合には、ＣＰＵ３１は、ＳＴ３４としてその置数データと一致するＰＯＳ番号を近接ＰＯＳ番号メモリ５１が削除する（識別データ削除手段）。そして、この近接ＰＯＳ取消処理を終了する。
【００３７】
図１０に説明を戻す。ＣＰＵ３１は、上記近接ＰＯＳ取消処理を終了すると、ＳＴ１１として置数データをクリアする。しかる後、ＳＴ２の処理に戻り、近接ＰＯＳ番号メモリ５１の最新の内容でＰＯＳレイアウト画面７を更新したならば、次のキー入力を待機する。
【００３８】
現計キー２４が操作入力された場合には（ＳＴ１２のＹＥＳ）、近接ＰＯＳ設定処理の終了が指令されたので、ＣＰＵ３１は、ＳＴ１３としてオペレータ用表示器１３からＰＯＳレイアウト画面を消去する。以上で、この近接ＰＯＳ設定処理を終了するものとなっている。
【００３９】
また、同じく「設定」モードが選択されている状態において、スキャナ音メモリ５２に対する設定業務を指令するキー操作が行なわれると、ＣＰＵ３１は、図１３の流れ図に示す手順でスキャナ音設定処理を実行するようにプログラム構成されている。
【００４０】
先ずＣＰＵ３１は、ＳＴ４１として近接ＰＯＳ番号メモリ５１に格納されているＰＯＳ番号で特定される他のＰＯＳ端末（以下、近接ＰＯＳ端末と称する）で設定されているスキャナ入力確定音の種別データである音番号をストアサーバ２に問合せる。すなわちＣＰＵ３１は、近接ＰＯＳ番号メモリ５１に格納されているＰＯＳ番号を読出し、このＰＯＳ番号を有する問合せ伝文を通信回線３を介してストアサーバ２に送信する（近接装置音データ問合せ手段）。
【００４１】
この問合せ伝文を受信したストアサーバ２においては、ＰＯＳ別音設定テーブル６を検索して当該伝文中のＰＯＳ番号に対応して記憶されている音番号を読み出す。そして、この音番号を有する応答伝文を通信回線３を介して問合せ元のＰＯＳ端末１に送信する。またこのとき、音情報管理テーブル５で記憶している各音番号とそれに対応する音名称のデータも応答伝文に組み込んで問合せ元のＰＯＳ端末１に送信する。
【００４２】
そこで、問合せ元ＰＯＳ端末１のＣＰＵ３１は、ＳＴ４２としてストアサーバ２から応答伝文を受信したならば、ＳＴ４３としてその応答伝文中の音情報管理テーブル５で記憶している各音番号とそれに対応する音名称のデータから、同伝文中の近接ＰＯＳ端末に設定されている音番号とそれに対応する音名称のデータを削除する。そして、残った音番号と音名称、つまりは近接ＰＯＳ端末では設定されていないため当該ＰＯＳ端末１で設定可能なスキャナ入力確定音のリスト画面８（図１５）をオペレータ用表示器１３に表示させる（音データ選択表示手段）。
【００４３】
因みに、図１５に示す設定可能スキャナ音リスト画面８は、音番号０１〜０８までの８種類のスキャナ入力確定音のうち、音番号０３の確定音と音番号０５の確定音が近接ＰＯＳ端末に既に設定されていた場合であり、この場合には、リスト８１に示されている残りの音番号０１，０２，０４，０６，０７，０８の５種類の確定音の中から何れか１種類の確定音を任意に選択することができる。
【００４４】
そこでＣＰＵ３１は、設定可能スキャナ音リスト画面８をオペレータ用表示器１３に表示させた状態で、ＳＴ４４としてキーボード１１のキー入力を待機する。そして、置数キー２１が操作入力された場合には（ＳＴ４５のＹＥＳ）、ＣＰＵ３１は、ＳＴ４６としてその置数データを置数レジスタに順次格納する。そして、ＳＴ４４の処理に戻り、次のキー入力を待機する。
【００４５】
取消キー２６が操作入力された場合には（ＳＴ４７のＹＥＳ）、スキャナ音設定処理の中止が指令されたのでＳＴ５４の処理に進み、置数データをクリアして、このスキャナ音設定処理を終了する。
【００４６】
現計キー２４が操作入力された場合には（ＳＴ４８のＹＥＳ）、スキャナ入力確定音の設定が指令されたので、ＣＰＵ３１は、ＳＴ４９として音番号に相当する置数データが置数レジスタに格納されているか否かを判断する。そして、格納されていない場合には、キー操作エラーなのでＳＴ４４の処理に戻り、次のキー入力を待機する。
【００４７】
ＳＴ４９にて音番号に相当する置数データが置数レジスタに格納されていた場合には、ＣＰＵ３１は、ＳＴ５０としてその置数データが設定可能スキャナ音リスト画面８に表示されているリスト８１に存在する音番号の何れかに一致したものか否かを判断する。ここで、リスト８１に存在する音番号の何れにも一致しない置数データが置数レジスタに格納さていた場合には、キー操作エラーなのでＳＴ４４の処理に戻り、次のキー入力を待機する。
【００４８】
ＳＴ５０にてリスト８１に存在する音番号の何れかに一致する置数データが置数レジスタに格納されていた場合には、ＣＰＵ３１は、ＳＴ５１として自己に対して予め設定されているＰＯＳ番号とともに置数データである音番号のデータを、通信回線３を介してストアサーバ２に通知する。
【００４９】
この通知を受けてストアサーバ２においては、ＰＯＳ別音設定テーブル６の該当ＰＯＳ番号に対応する音番号データを、通知された音番号に更新する。また、音情報管理テーブル５を検索して、この通知された音番号に対応する音データ保存先アドレスを取得し、このアドレスで指定される記憶領域に保存された音データを読み出して、該当するＰＯＳ端末１にダウンロードするものとなっている。
【００５０】
そこでＣＰＵ３１は、ＳＴ５２としてストアサーバ２から音データがダウンロードされるのを待機し、音データがダウンロードされたならば、ＣＰＵ３１は、ＳＴ５３としてその音データをスキャナ音メモリ５２に格納する（音データ設定手段）。しかる後、ＳＴ５４として置数レジスタの置数データをクリアして、このスキャナ音設定処理を終了するものとなっている。
【００５１】
なお、図１０に示す近接ＰＯＳ設定処理において、ＳＴ６の小計キー２３，ＳＴ９の取消キー２６及びＳＴ１２の現計キー２４は、他のキーを代用してもよい、また、オペレータ用表示器１３をタッチパネルとし、このタッチパネル上に該当するファンクションキーを表示させて各キーの代用としてもよい。このことは、図１３に示すスキャナ音設定処理におけるＳＴ４７の取消キー２６及びＳＴ４８の現計キー２４についても同様である。
【００５２】
さて、本実施の形態のＰＯＳシステムが構築された店舗においては、ＰＯＳ端末１の設置場所の移動や交換等があった場合、先ず、ストアサーバ２が有するテーブル更新機能を動作させて、ＰＯＳレイアウトテーブル４のデータを最新の情報に書き換える。次に、ＰＯＳ端末１毎に、近接ＰＯＳ設定処理及びスキャナ音設定処理を順に実行する。
【００５３】
今、ＰＯＳ番号００３が設定されているＰＯＳ端末７３で近接ＰＯＳ設定処理を開始し、図１４に示すＰＯＳレイアウト画面７がオペレータ用表示器１３に表示された場合を想定する。すなわち、当該ＰＯＳ端末７３の近接ＰＯＳ番号メモリ５１には、端末番号００１と００２が予め格納されているものとする。
【００５４】
ここで、端末番号００２のＰＯＳ端末７２と端末番号００４のＰＯＳ端末７４は、いずれも当該ＰＯＳ端末７３に隣接しているため、スキャナ入力確定音が同じだとオペレータが誤認識するおそれがある。これに対して、端末番号００１のＰＯＳ端末７１と端末番号００５のＰＯＳ端末７５は、いずれも当該ＰＯＳ端末７３とは隣接していないため、スキャナ入力確定音が同じでもオペレータが誤認識するおそれはない。
【００５５】
このような場合には、当該ＰＯＳ端末１の設定作業者は、先ず、近接ＰＯＳ設定処理において、ＰＯＳ端末７１の端末番号００１を近接ＰＯＳ番号メモリ５１から削除するための操作を行なう。また、ＰＯＳ端末７４の端末番号００４を近接ＰＯＳ番号メモリ５１に追加するための操作を行なう。これら操作をどちらを先に行なってもよい。
【００５６】
次に、設定作業者は、スキャナ音設定処理を実行する。ここで、ストアサーバ２に予め音番号０１〜０８までの８種類のスキャナ入力確定音が設定されており、そのうち、音番号０３の確定音と音番号０５の確定音が近接ＰＯＳ端末７２，７４で既に設定されていたと仮定すると、当該ＰＯＳ端末７３のオペレータ用表示器１３には、図１５に示す設定可能スキャナ音リスト画面８が表示される。すなわち、近接ＰＯＳ端末７２，７４で既に設定されている音データが除かれた音データリスト８１が表示される。
【００５７】
そこで設定作業者は、リスト８１の中から所望する音データを選択し、その音番号を置数して現計キー２４を押下する。例えば今、音番号０４を選択したとする。そうすると、ストアサーバ２のＰＯＳ別音設定テーブル６には、当該ＰＯＳ端末７３のＰＯＳ番号００３に対応して音番号０４が記憶される。また、この音番号０４の音データが当該ＰＯＳ端末７３にダウンロードされ、スキャナ音メモリ５２に格納される。
【００５８】
これにより、当該ＰＯＳ端末７３では、「登録」モードにおいて、スキャナ１７で商品コードのバーコードが読取られると、音番号０４で識別される音データがスキャナ入力確定音として、音響コントローラ４４を介して発せられる。この音は、当該ＰＯＳ端末１に近接する他のＰＯＳ端末７２，７４から発せられる音と種類が異なるので、オペレータが音を誤認識することはない。
【００５９】
このように本実施の形態によれば、スキャナ１７から入力されたデータの入力確定時にＰＯＳ端末１から発せられる音が、近接する他のＰＯＳ端末から発せられる音と確実に異ならせることができるので、各オペレータが音を正確に識別することができ、オペレータの作業効率向上を図ることができる。この場合において、設定作業者がリスト８１の中から選択する音データは、いずれも近接するＰＯＳ端末では設定されていない音データなので、設定作業者は近接するＰＯＳ端末で設定されている音データを意識する必要がなく、設定作業が容易である。
【００６０】
ところで、前記第１の実施形態では、スキャナ音設定処理において、設定可能スキャナ音リスト画面８のリスト８１の中から設定作業者が所望する音データを選択する場合を示したが、ＰＯＳ端末１において自動的に近接ＰＯＳ端末では未設定の音データを１種類選択し設定するように構成することも可能である。
【００６１】
この第２の実施形態におけるスキャナ音設定処理の要部を図１６の流れ図に示す。すなわちＰＯＳ端末１のＣＰＵ３１は、「設定」モードが選択されている状態において、スキャナ音メモリ５２に対する設定業務を指令するキー操作が行なわれると、ＣＰＵ３１は、図１６の流れ図に示す手順でスキャナ音設定処理を開始する。
【００６２】
先ず、ＳＴ６１として、第１の実施の形態のＳＴ４１と同様に、近接ＰＯＳ番号メモリ５１に格納されているＰＯＳ番号で特定される他のＰＯＳ端末で設定されているスキャナ入力確定音の種別データである音番号をストアサーバ２に問合せる（近接装置音種別データ問合せ手段）。そして、この問合せに対し、ＳＴ６２としてストアサーバ２から応答伝文を受信したならば、ＣＰＵ３１は、ＳＴ６３としてその応答伝文中の音情報管理テーブル５で記憶している各音番号から、同伝文中の近接ＰＯＳ端末に設定されている音番号を削除する。そして、残った音番号の中から予め設定されたルールに一致した１つの音番号を選択する（音データ選択手段）。
【００６３】
ここで、ルールとしては、例えば、残った音番号の中から最小の音番号を選択するというルールが考えられる。また、残った音番号の中から最大の音番号を選択するというルールも考えられる。なお、ルールは、これに限定されないのは言うまでもないことである。
【００６４】
次に、ＣＰＵ３１は、ＳＴ６４としてキー入力を待機する。そして、＃キー２５が操作入力された場合には、ＳＴ６３の処理で選択した音番号の音データをストアサーバ２に問い合わせる。そして、該当する音データを受信したならば、その音データのスキャナ入力確定音を、音響コントローラ３７を介してスピーカ４４から発生させる。しかる後、ＳＴ６４の処理に戻り、次のキー入力を待機する。すなわち、＃キー２５を操作することによって、自動的に選択されたスキャナ入力確定音を視聴することができる。
【００６５】
ＳＴ６５として小計キー２３が操作入力された場合には、ＣＰＵ３１は、ＳＴ６３の選択処理を再度実行し、今まで選択した音番号を除く選択対象の音番号つまりは近接ＰＯＳ端末では設定されていない音番号の中から何れか１つを所定のルールにしたがって選択する。そして、次のキー入力を待機する。すなわち、小計キー２３を操作することによって、自動的に選択されたスキャナ入力確定音を別の音に変更することができる。
【００６６】
ＳＴ６６として現計キー２４が操作入力された場合には、スキャナ入力確定音の設定が指令されたので、ＣＰＵ３１は、ＳＴ６９〜ＳＴ７２として、前記第１の実施形態のＳＴ５１〜ＳＴ５４と同様な処理を実行し、このスキャナ音設定処理を終了する。すなわち、小計キー２３を操作することによって、自動的に選択されたスキャナ入力確定音を設定することができる。
【００６７】
このような構成の第２の実施形態においても、スキャナ１７から入力されたデータの入力確定時にＰＯＳ端末１から発せられる音が、近接する他のＰＯＳ端末から発せられる音と確実に異ならせることができるので、各オペレータが音を正確に識別することができ、オペレータの作業効率向上を図ることができる。しかもこの場合は、設定作業者が音データを選択する必要もないので、設定作業の手間をさらに低減できる効果を奏する。
【００６８】
なお、この第２の実施の形態において、ＳＴ６５〜ＳＴ６８を省略し、つまりはＳＴ６３の処理にて自動的に選択された音番号の音データを強制的に当該ＰＯＳ端末１に設定するようにしてもよい。こうすることにより、設定作業に要する時間を大幅に短縮できるようになる。
【００６９】
また、ＳＴ６３の処理をＰＯＳ端末１側で実行するのでなく、ストアサーバ２側で実行し、ＰＯＳ端末１においては、選択された音データのダウンロードのみ受けるようにしてもよい。すなわち、図１６において、ＳＴ６３〜ＳＴ６９の処理を省略することも可能である。
【００７０】
なお、この発明は、スキャナ１７から商品コードが入力されたときに発せられるスキャナ入力確定音の設定処理に限定されるものではなく、他の入力部、例えば二次元コードスキャナやタッチパネルからの商品データ入力確定時に発せられる音の設定処理にも適用できるものである。
【００７１】
また、前記実施の形態では、スキャナ音設定処理のＳＴ４１及びＳＴ６１の問合せ処理において、問い合わせ先をストアサーバ２としたが、各ＰＯＳ端末１がスキャナ音メモリ５２で音データとともに音番号を記憶するようにすることによって、近接ＰＯＳ番号メモリ５１に設定されているＰＯＳ番号のＰＯＳ端末いわゆる近接ＰＯＳ端末に対して当該スキャナ音メモリ５に設定されている音データの音番号を直接問合せるようにしてもよい。こうすることにより、ストアサーバ２からＰＯＳ別音設定テーブル６を省略することができる。  
この他、本発明の要旨を逸脱しない範囲で種々変形実施可能であるのは勿論である。
【図面の簡単な説明】
【００７２】
【図１】本発明の一実施の形態であるＰＯＳシステムの全体構成を示す模式図。
【図２】同実施の形態においてストアサーバが記憶するＰＯＳレイアウトテーブルのデータ構造を示す模式図。
【図３】同実施の形態においてストアサーバが記憶する音情報管理テーブルのデータ構造を示す模式図。
【図４】同実施の形態においてストアサーバが記憶するＰＯＳ別音設定テーブルのデータ構造を示す模式図。
【図５】同実施の形態におけるＰＯＳ端末の外観構成を示す斜視図。
【図６】同実施の形態のＰＯＳ端末が備えるキーボードの一例を示す模式図。
【図７】同実施の形態のＰＯＳ端末が備えるモードスイッチの一例を示す模式図。
【図８】同実施の形態におけるＰＯＳ端末の要部構成を示すブロック図。
【図９】同実施の形態におけるＰＯＳ端末のＲＡＭに形成される主要なメモリエリアを示す模式図。
【図１０】同実施の形態におけるＰＯＳ端末のＣＰＵが実行する近接ＰＯＳ設定処理の要部手順示す流れ図。
【図１１】図１０の処理ステップ「近接ＰＯＳ追加処理」を具体的に示す流れ図。
【図１２】図１０の処理ステップ「近接ＰＯＳ削除処理」を具体的に示す流れ図。
【図１３】同実施の形態におけるＰＯＳ端末のＣＰＵが実行するスキャナ音設定処理の要部手順示す流れ図。
【図１４】同実施の形態においてＰＯＳ端末のオペレータ用表示器に表示されるＰＯＳレイアウト画面の一例を示す平面図。
【図１５】同実施の形態においてＰＯＳ端末のオペレータ用表示器に表示される設定可能スキャナ音リスト画面の一例を示す平面図。
【図１６】ＰＯＳ端末のＣＰＵが実行するスキャナ音設定処理の他の実施形態を示す流れ図。
【符号の説明】
【００７３】
１…ＰＯＳ端末、２…ストアサーバ、３…通信回線、４…ＰＯＳレイアウトテーブル、５…音情報設定テーブル、６…ＰＯＳ別音設定テーブル、７…ＰＯＳレイアウト画面、８…設定可能スキャナ音リスト画面、１１…キーボード、１２…モードスイッチ、１３…オペレータ用表示器、１４…客用表示器、１５…ＲＪプリンタ、１７…スキャナ、３１…ＣＰＵ、３７…音響コントローラ、４４…スピーカ、５１…近接ＰＯＳ番号メモリ、５２…スキャナ音メモリ。
【図１】
0004741911.tif 000002
【図２】
0004741911.tif 000003
【図３】
0004741911.tif 000004
【図４】
0004741911.tif 000005
【図５】
0004741911.tif 000006
【図６】
0004741911.tif 000007
【図７】
0004741911.tif 000008
【図８】
0004741911.tif 000009
【図９】
0004741911.tif 000010
【図１０】
0004741911.tif 000011
【図１１】
0004741911.tif 000012
【図１２】
0004741911.tif 000013
【図１３】
0004741911.tif 000014
【図１４】
0004741911.tif 000015
【図１５】
0004741911.tif 000016
【図１６】
0004741911.tif 000017